(57)【特許請求の範囲】
【請求項１】
眼内レンズを導入するための略筒状の眼内レンズ導入管を備えた眼内レンズ挿入用カートリッジにおいて、
前記眼内レンズ導入管は前記眼内レンズを挿入するための挿入口部と、
前記眼内レンズを排出するための排出口部とを備え、
前記挿入口部の前記眼内レンズ導入管の長手方向と直交した向きの断面は、その中心部で相互に略直交する長軸と短軸とを有する扁平な形状であって、この長軸と短軸をそれぞれ横軸と縦軸とした場合に、前記挿入口部の断面において前記横軸が前記縦軸より長く、前記導入管の中間部の断面において前記縦軸が前記横軸より長く、前記導入管の排出口部の断面において前記縦軸と前記横軸が略等しく、前記挿入口部から前記中間部にかけて前記横軸が短くなるように連続的に変化し、前記中間部から前記排出口部にかけて前記縦軸が短くなるように連続的に変化していることを特徴とする眼内レンズ挿入用カートリッジ。
【請求項２】
眼内レンズを導入するための略筒状の眼内レンズ導入管を備えた眼内レンズ挿入用カートリッジにおいて、
前記眼内レンズ導入管は、
前記眼内レンズ導入管の長手方向に直行する横軸方向に長い形状とした眼内レンズを設置する挿入口部と、
前記眼内レンズを排出するための排出口部と、
前記挿入口部と前記排出口部との間に設けられた中間部とを備え、
前記挿入口部と前記中間部との間では、前記挿入口部から前記中間部へ移動する前記眼内レンズを横軸方向に長い形状から前記横軸方向に直行する縦軸方向に長い形状とする１段階目の変形を行い、
前記中間部と前記排出口部との間では、前記中間部から前記排出口部へ移動する前記眼内レンズを前記縦軸方向に長い形状から円形状とする２段階目の変形を行う
ことを特徴とする眼内レンズ挿入用カートリッジ。
【請求項３】
前記挿入口部の断面形状が、前記横軸に略平行する上部直線部と下部直線部を有し、前記上部直線部の右端と前記下部直線部の右端および前記上部直線部の左端と前記下部直線部の左端を外側円弧状に結んで形成される形状であり、前記導入管の中間部の断面形状が、前記縦軸に略平行する右部直線部と左部直線部を有し、前記右部直線部の上端と前記左部直線部の上端および前記右部直線部の下端と前記左部直線部の下端を外側円弧状に結んで形成される形状であり、前記導入管の排出口部の断面形状が略円形状であり、前記挿入口部の上部直線部の両端が前記中間部の上側の円弧状の頂点に収束し、前記挿入口部の下部直線部の両端が前記中間部の下側の円弧状の頂点に収束し、前記中間部の右部直線部の両端が前記挿入口部の右側の円弧状の頂点に収束し、前記中間部の左部直線部の両端が前記挿入口部の左側の円弧状の頂点に収束し、前記中間部の右部直線部の両端が前記排出口部の右側半円の頂点に収束し、前記中間部の左部直線部の両端が前記排出口部の左側半円の頂点に収束していることを特徴とする請求項１又は２記載の眼内レンズ挿入用カートリッジ。
【請求項４】
前記挿入口部の断面形状が、前記横軸が前記縦軸より長い略楕円形状であり、前記導入管の中間部の断面形状が前記縦軸が前記横軸より長い略楕円形状であり、前記導入管の排出口部の断面形状が略円形状であることを特徴とする請求項１又は２記載の眼内レンズ挿入用カートリッジ。
【請求項５】
眼内レンズ導入管の長手方向を長手軸とした場合、前記長手軸に対して角度をもち、かつ前記縦軸に対して角度をもって眼内レンズ導入管の先端が形成されていることを特徴とする請求項１〜４のいずれか１項記載の眼内レンズ挿入用カートリッジ。
【発明の詳細な説明】
【技術分野】
【０００１】
本発明は、眼内レンズを眼球に挿入する際に使用するカートリッジに関するものである。
【背景技術】
【０００２】
眼内レンズは、例えば、光学部とその光学部を支える２つのループを有するものであり、白内障に罹った水晶体の代替物などとして眼球内に移植されるもので、眼球を切開し、その切開創から眼球内に挿入されるものである。
【０００３】
この切開創は、眼内レンズ挿入のし易さの観点から眼内レンズの光学部以上の大きさであることが好ましい。しかし、切開創が大きいと患者の回復が遅くなるので、切開創はできるだけ小さいものが望まれてきた。この要望から最近では、眼内レンズの材料として、シリコーン樹脂、アクリル樹脂、ハイドロゲルなどの軟質の材料が用いられ、眼内レンズを丸めたり、折り畳んだりして小さな切開創から眼球内に挿入する手術がおこなわれてきている。
【０００４】
この軟質の眼内レンズを折り畳む方法としては、鑷子などで手術者が折り畳むこともあるが、折り畳む器具を用いることも多くおこなわれてきている。
【０００５】
例えば、この眼内レンズを折り畳む器具として、本出願人は、軟質眼内レンズ折り畳み機構を有する収納容器を発明し国際出願した（国際出願番号ＰＣＴ／ＪＰ０２／０４４６４号、国際公開ＷＯ０２／０９６３２２号）（特許文献１）。この収納容器の眼内レンズ載置部の斜視図を図６に示す。この図６では、収納容器２１において、眼内レンズＬの表面を外側、裏面を内側に折り畳んでいる状態を示している。
【０００６】
基台２２に眼内レンズを保持するための保持部２３が設けられており、保持部２３には、基台部側レンズ押圧部２５が設けられている。そして、レバー部２４を押圧すると、バネ部２６が変形して可動部側レンズ押圧部２７が基台部側レンズ押圧部２５の方向に移動し、可動部側レンズ押圧部２７と基台部側レンズ押圧部２５との間で保持されている眼内レンズＬが表面を外側、裏面を内側に折り畳まれるようになる。
【０００７】
そして、この収納容器２１を用いることにより、製造ラインで製造された眼内レンズを、手術の際まで無菌的かつ傷つけることなく保管することができる。そして、手術の際、この収納容器で眼内レンズを折り畳み、手術者が折り畳まれた軟質眼内レンズを鑷子で摘み、そのまま切開創から眼球内に挿入することができるものである。
【０００８】
このように、鑷子により切開創から眼内レンズを眼球内に挿入することができるが、鑷子による方法では、挿入の際に角膜を傷つけないように注意するなど手術に熟練を要するものである。
【０００９】
一方、眼内レンズを安全、確実に眼球に挿入する方法として、眼内レンズ挿入用のカートリッジを用いる方法がある。
【００１０】
このカートリッジとしては、例えば、特表２００２−５４１９１２号公報（特許文献２）に記載されたものがあり、このカートリッジは、図７に示すような構造をしている。
【００１１】
３１はカートリッジであり、導入管３２、排出口部３４、翼３６、３７を有している。
【００１２】
導入管３２には、眼内レンズを挿入するための挿入口部３３があり、ここから眼内レンズを挿入する。また、導入管３２の先端には排出口部３４が設けられている。
【００１３】
また、導入管３２の中間付近には翼３６、３７が設けられている。この翼３６、３７は、カートリッジ３１を図示しないインジェクターの先端に装着するためのものであり、この翼３６、３７をインジェクターの保持部で保持することによりカートリッジ２１とインジェクターが一体となる。
【００１４】
そして、破線で示される導入管３２の挿入口部３３では、その断面形状が断面の片側の面３８ａは円弧状に、他側の面３８ｂは直線と円弧が組み合わされた扁平な形状をして、非対称となっている。そして、眼内レンズ導入管３２の長手方向と直交した向きの断面は、その中心部で相互に略直交する長軸と短軸とを有する扁平な形状であって、この長軸と短軸をそれぞれ横軸と縦軸とした場合、横軸が縦軸より長くなっている。
【００１５】
また、導入管３２の内部が排出口部３４に近づくにつれて、導入管３２の内部断面において、縦軸と横軸がその短くなる割合は異なるがともに短くなり、導入管３２の断面形状は円形状に近づき、排出口部３４付近では、その断面形状が略円形状となっている。
【００１６】
このような導入管３２の内部の構造により、導入管３２の挿入口部３３から折り畳まずに挿入された眼内レンズは、その光学部が内側となるように徐々に丸められるものである。
【００１７】
特に、断面非対称の構造により、眼内レンズの片側をゆっくり折り畳むことができるというものである。
【発明の開示】
【発明が解決しようとする課題】
【００１８】
【特許文献１】国際公開ＷＯ０２／０９６３２２号
【特許文献２】特表２００２−５４１９１２号公報  眼内レンズを安全、確実に眼球に挿入するための方法として、例えば、特許文献２の記載のようなカートリッジを用いておこなうことが考えられるが、レンズを開いた状態から丸めていかなくてはならないため、挿入口部から排出口部までに長い距離が必要であり、レンズ装填前にカートリッジに充填すべきヒアルロン酸等増粘性物質量も多く必要となる。
【００１９】
そこで、本発明者は挿入口及び導入管の断面積と折り畳むために必要な距離を低減し、また、挿入口部へのレンズのセットを容易にするために、挿入口部の形状を、レンズを２つ折りにして挿入できる楕円形状とするとともに、レンズ導入管の長手軸方向と直交した向きの断面の横軸、縦軸方向で共に、挿入口部から排出口部まで徐々に短くなるよう導入管内を設計した。このようにして設計したカートリッジを用いて、眼内レンズを挿入口部にセットし、これをインジェクターに装着し、インジェクターの押出し棒を押してカートリッジ内の眼内レンズを押出してみた。ところが、導入管の途中で眼内レンズの移動が困難となり、眼内レンズが排出口部から押出すことができないという課題が生じた。
【００２０】
そこで、本発明者はこの移動が困難となる原因として眼内レンズに加わる力の不均一あるのではないかと考え、その応力に注目した。
【００２１】
眼内レンズは、挿入口部に折り畳まれた状態で挿入されるので、挿入口部や導入管内で開こうとして挿入口部や導入管の上下方向で力が強く働く。この状態で眼内レンズを押出すと、導入管内は縦軸と横軸がともに短くなるので、徐々に横方向の力が眼内レンズに加わり、これにより、眼内レンズが横方向の力を受けて変形し、さらに上下方向の応力が大きくなる。
【００２２】
こうなると、縦方向の応力が横方向の応力より大きく、眼内レンズに不均一に力が加わり、特に眼内レンズのループの付根部分に応力が集中し、眼内レンズが丸まりながら移動するのを困難にしていることを見出した。
【００２３】
そこで、本発明は上記課題を解決するために、折り畳まれた眼内レンズに力が不均一にかからないようにして、カートリッジの導入管内をスムーズに移動させて、小さく丸めて、眼球内に容易に挿入することができる眼内レンズ用カートリッジを提供するものである。
【課題を解決するための手段】
【００２４】
請求項１の眼内レンズ挿入用カートリッジは、眼内レンズを導入するための略筒状の眼内レンズ導入管を備えた眼内レンズ挿入用カートリッジにおいて、前記眼内レンズ導入管は前記眼内レンズを挿入するための挿入口部と、前記眼内レンズを排出するための排出口部とを備え、前記挿入口部の前記眼内レンズ導入管の長手方向と直交した向きの断面は、その中心部で相互に略直交する長軸と短軸とを有する扁平な形状であって、この長軸と短軸をそれぞれ横軸と縦軸とした場合に、前記挿入口部の断面において前記横軸が前記縦軸より長く、前記導入管の中間部の断面において前記縦軸が前記横軸より長く、前記導入管の排出口部の断面において前記縦軸と前記横軸が略等しく、前記挿入口部から前記中間部にかけて前記横軸が短くなるように連続的に変化し、前記中間部から前記排出口部にかけて前記縦軸が短くなるように連続的に変化していることを特徴とするものである。
【００２５】
請求項１の発明によれば、挿入口部から中間部にかけて折り畳まれた眼内レンズにかかる上下方向の力の加わりを大きくすることなく、容易に眼内レンズを丸めることができ、その後、中間部から排出口部にかけて上下方向の力が加わってさらに丸めることができ、容易に排出口部から眼内レンズを押出すことができるようになる。
【００２６】
請求項２の眼内レンズ挿入用カートリッジの発明は、眼内レンズを導入するための略筒状の眼内レンズ導入管を備えた眼内レンズ挿入用カートリッジにおいて、前記眼内レンズ導入管は、前記眼内レンズ導入管の長手方向に直行する横軸方向に長い形状とした眼内レンズを設置する挿入口部と、前記眼内レンズを排出するための排出口部と、前記挿入口部と前記排出口部との間に設けられた中間部とを備え、前記挿入口部と前記中間部との間では、前記挿入口部から前記中間部へ移動する前記眼内レンズを横軸方向に長い形状から前記横軸方向に直行する縦軸方向に長い形状とする１段階目の変形を行い、前記中間部と前記排出口部との間では、前記中間部から前記排出口部へ移動する前記眼内レンズを前記縦軸方向に長い形状から円形状とする２段階目の変形を行うことを特徴とするものである。
【００２７】
請求項２の発明によれば、前記挿入口部と前記中間部との間は、横長形状とした前記眼内レンズを縦長形状に変形させ、前記中間部と前記排出口部との間は、縦長形状となった前記眼内レンズを円形状に変形させることにより、眼内レンズのループの付根部分に応力が集中するのを防いで、眼内レンズが丸まりながら容易に移動させることができる。
【００２８】
請求項３の眼内レンズ挿入用カートリッジは、請求項１又は２において、前記挿入口部の断面形状が、前記横軸に略平行する上部直線部と下部直線部を有し、前記上部直線部の右端と前記下部直線部の右端および前記上部直線部の左端と前記下部直線部の左端を外側円弧状に結んで形成される形状であり、前記導入管の中間部の断面形状が、前記縦軸に略平行する右部直線部と左部直線部を有し、前記右部直線部の上端と前記左部直線部の上端および前記右部直線部の下端と前記左部直線部の下端を外側円弧状に結んで形成される形状であり、前記導入管の排出口部の断面形状が略円形状であり、前記挿入口部の上部直線部の両端が前記中間部の上側の円弧状の頂点に収束し、前記挿入部の下部直線部の両端が前記中間部の下側の円弧状の頂点に収束し、前記中間部の右部直線部の両端が前記挿入口部の右側の円弧状の頂点に収束し、前記中間部の左部直線部の両端が前記挿入口部の左側の円弧状の頂点に収束し、前記中間部の右部直線部の両端が前記排出口部の右側半円の頂点に収束し、前記中間部の左部直線部の両端が前記排出口部の左側半円の頂点に収束していることを特徴とするものである。
【００２９】
請求項３の発明によれば、挿入口部から中間部にかけて折り畳まれた眼内レンズにかかる上下方向の力の加わりを大きくすることなく、容易に眼内レンズを丸めることができ、その後、中間部から排出口部にかけて上下方向の力が加わってさらに丸めることができ、容易に排出口部から眼内レンズを押出すことができるようになる。また、断面形状の一部に直線部を有するので、これを各頂点に収束する形状を作成し易いものとなる。
【００３０】
請求項４の眼内レンズ挿入用カートリッジは、請求項１又は２において、前記挿入口部の断面形状が、前記横軸が前記縦軸より長い略楕円形状であり、前記導入管の中間部の断面形状が前記縦軸が前記横軸より長い略楕円形状であり、前記導入管の排出口部の断面形状が略円形状であることを特徴とするものである。
【００３１】
請求項４の発明によれば、挿入口部から中間部にかけて折り畳まれた眼内レンズにかかる上下方向の力の加わりを大きくすることなく、容易に眼内レンズを丸めることができ、その後、中間部から排出口部にかけて上下方向の力が加わってさらに丸めることができ、容易に排出口部から眼内レンズを押出すことができるようになる。また、導入管内部に角部を形成することがないので、眼内レンズを丸めやすいものとなる。
【００３２】
請求項５の眼内レンズ挿入用カートリッジは、請求項１〜４において、眼内レンズ導入管の長手方向を長手軸とした場合、前記長手軸に対して角度をもち、かつ前記縦軸に対して角度をもって眼内レンズ導入管の先端が形成されていることを特徴とするものである。
【００３３】
請求項５の発明によれば、インジェクター先端が縦軸に対して角度をもって形成されている場合においても、導入管の先端の角度を相殺することができ、眼球の切開創に容易に排出口部を挿入させることができる。
【発明の効果】
【００３４】
請求項１の眼内レンズ挿入用カートリッジの発明は、眼内レンズを導入するための略筒状の眼内レンズ導入管を備えた眼内レンズ挿入用カートリッジにおいて、前記眼内レンズ導入管は前記眼内レンズを挿入するための挿入口部と、前記眼内レンズを排出するための排出口部とを備え、前記挿入口部の前記眼内レンズ導入管の長手方向と直交した向きの断面は、その中心部で相互に略直交する長軸と短軸とを有する扁平な形状であって、この長軸と短軸をそれぞれ横軸と縦軸とした場合に、前記挿入口部の断面において前記横軸が前記縦軸より長く、前記導入管の中間部の断面において前記縦軸が前記横軸より長く、前記導入管の排出口部の断面において前記縦軸と前記横軸が略等しく、前記挿入口部から前記中間部にかけて前記横軸が短くなるように連続的に変化し、前記中間部から前記排出口部にかけて前記縦軸が短くなるように連続的に変化しているので、挿入口部から中間部にかけて折り畳まれた眼内レンズにかかる上下方向の力の加わりを大きくすることなく、容易に眼内レンズを丸めることができ、その後、中間部から排出口部にかけて上下方向の力が加わってさらに丸めることができ、容易に排出口部から眼内レンズを押出すことができるようになる。
【００３５】
請求項２の眼内レンズ挿入用カートリッジの発明は、眼内レンズを導入するための略筒状の眼内レンズ導入管を備えた眼内レンズ挿入用カートリッジにおいて、前記眼内レンズ導入管は、前記眼内レンズ導入管の長手方向に直行する横軸方向に長い形状とした眼内レンズを設置する挿入口部と、前記眼内レンズを排出するための排出口部と、前記挿入口部と前記排出口部との間に設けられた中間部とを備え、前記挿入口部と前記中間部との間では、前記挿入口部から前記中間部へ移動する前記眼内レンズを横軸方向に長い形状から前記横軸方向に直行する縦軸方向に長い形状とする１段階目の変形を行い、前記中間部と前記排出口部との間では、前記中間部から前記排出口部へ移動する前記眼内レンズを前記縦軸方向に長い形状から円形状とする２段階目の変形を行うこととしているので、眼内レンズのループの付根部分に応力が集中するのを防いで、眼内レンズが丸まりながら容易に移動させることができる。
【００３６】
請求項３の眼内レンズ挿入用カートリッジの発明は、請求項１又は２において、前記挿入口部の断面形状が、前記横軸に略平行する上部直線部と下部直線部を有し、前記上部直線部の右端と前記下部直線部の右端および前記上部直線部の左端と前記下部直線部の左端を外側円弧状に結んで形成される形状であり、前記導入管の中間部の断面形状が、前記縦軸に略平行する右部直線部と左部直線部を有し、前記右部直線部の上端と前記左部直線部の上端および前記右部直線部の下端と前記左部直線部の下端を外側円弧状に結んで形成される形状であり、前記導入管の排出口部の断面形状が略円形状であり、前記挿入口部の上部直線部の両端が前記中間部の上側の円弧状の頂点に収束し、前記挿入口部の下部直線部の両端が前記中間部の下側の円弧状の頂点に収束し、前記中間部の右部直線部の両端が前記挿入口部の右側の円弧状の頂点に収束し、前記中間部の左部直線部の両端が前記挿入口部の左側の円弧状の頂点に収束し、前記中間部の右部直線部の両端が前記排出口部の右側半円の頂点に収束し、前記中間部の左部直線部の両端が前記排出口部の左側半円の頂点に収束しているので、挿入口部から中間部にかけて折り畳まれた眼内レンズにかかる上下方向の力の加わりを大きくすることなく、容易に眼内レンズを丸めることができ、その後、中間部から排出口部にかけて上下方向の力が加わってさらに丸めることができ、容易に排出口部から眼内レンズを押出すことができるようになる。また、断面形状の一部に直線部を有するので、これを各頂点に収束する形状を作成し易いものとなる。
【００３７】
請求項４の眼内レンズ挿入用カートリッジの発明は、請求項１又は２において、前記挿入口部の断面形状が、前記横軸が前記縦軸より長い略楕円形状であり、前記導入管の中間部の断面形状が前記縦軸が前記横軸より長い略楕円形状であり、前記導入管の排出口部の断面形状が略円形状であるので、挿入口部から中間部にかけて折り畳まれた眼内レンズにかかる上下方向の力の加わりを大きくすることなく、容易に眼内レンズを丸めることができ、その後、中間部から排出口部にかけて上下方向の力が加わってさらに丸めることができ、容易に排出口部から眼内レンズを押出すことができるようになる。また、導入管内部に角部を形成することがないので、眼内レンズを丸めやすいものとなる。
【００３８】
請求項５の眼内レンズ挿入用カートリッジの発明は、請求項１〜４において、眼内レンズ導入管の長手方向を長手軸とした場合、前記長手軸に対して角度をもち、かつ前記縦軸に対して角度をもって眼内レンズ導入管の先端が形成されているので、インジェクター先端が縦軸に対して角度をもって形成されている場合においても、導入管の先端部の角度を相殺することができ、眼球の切開創に容易に排出口部を挿入させることができる。
【発明を実施するための最良の形態】
【００３９】
以下、本発明の実施の形態について説明する。
【００４０】
まず、本発明の第１の実施の形態について説明する。
【００４１】
図１は、本発明の第１の実施の形態にかかる眼内レンズ挿入用カートリッジを示す斜視図である。１はカートリッジであり、このカートリッジ１は、導入管２、挿入口部３、排出口部４、挿入溝５、翼６、７を備えている。
【００４２】
挿入口部３は、折り畳まれた眼内レンズを装填するためのものであり、そこには挿入溝５が設けられている。この挿入溝５は、眼内レンズを鑷子により保持して装填するための溝であり、この挿入溝５に鑷子を入れることにより容易に折り畳まれた眼内レンズを挿入口部３に装填できる。また、導入管２の内部は、挿入口部３に折り畳まれてセットされた眼内レンズが通るため、管状になっている。そして、８は挿入口部３の断面形状を、９は導入管２の中間部の断面形状を、１０は、排出口部４の断面形状を示したものである。
【００４３】
このカートリッジ１を用いることができる軟質眼内レンズは、材料として軟質のものであれば特に制限はなく、例えば、シリコーン樹脂、アクリル樹脂、ハイドロゲルなどを用いることができる。
【００４４】
眼内レンズを折り畳む方法としては、鑷子で折り畳む方法でもよいが、軟質眼内レンズを折り畳む機構を有する収納容器を用いる方法が便利である。この収納容器としては、例えば、図６に示すようなものがある。そして、この収納容器を利用して簡単に眼内レンズを折り畳むことができる。なお、図６に示す収納容器については、前述したので、ここではその説明は省略する。
【００４５】
また、導入管２の先端には排出口部４が形成されており、この排出口部４が眼球の切開創に挿入される。そこで、このカートリッジ１は、人体に悪影響を与えない材質でできている必要があり、例えばポリプロピレンなどのポリアルケンでできている。そして、このポリプロピレンなどには、モノステアリン酸グリセロールなどの潤滑剤が含有され、これをプラズマ暴露処理、ブルーミング処理、高温処理、湿度処理などの処理により、カートリッジ１の表面にこの潤滑剤を表出させて眼内レンズの移動をスムーズにさせることが多い。
【００４６】
翼６、７は、カートリッジ１を図３に示すようなインジェクター２７の先端に設けられたカートリッジ装着部２８に装着するためのものであり、この翼６、７を装着部２８が保持することによりカートリッジ１とインジェクター２７が一体となる。
【００４７】
また、インジェクター２７には、押出し棒２９が設けられている。この押出し棒２９の先端は細くなっており（図示せず）、この先端がカートリッジ１の導入管２内に挿入できるようになっている。そして、この押出し棒２９により排出口部４より眼内レンズが眼球内に挿入されるものである。
【００４８】
次に、導入管２の内部の形状について図４を用いて説明する。
【００４９】
図４において、８ａは導入管の挿入口部３における断面形状を示しており、導入管２の長手方向と直交した向きの断面は、その中心部で相互に略直交する長軸と短軸とを有する扁平な形状であって、この長軸と短軸をそれぞれ横軸と縦軸とした場合、横軸に略平行する上部直線部と下部直線部を有し、上部直線部の右端と下部直線部の右端および上部直線部の左端と下部直線部の左端を外側円弧状に結んで形成される形状となっている。
【００５０】
また、９ａは導入管２の中間部における断面形状を示しており、縦軸に略平行する右部直線部と左部直線部を有し、右部直線部の上端と左部直線部の上端および右部直線部の下端と左部直線部の下端を外側円弧状に結んで形成される形状となっている。
【００５１】
さらに、１０ａは導入管の排出口部４における断面形状を示しており、略円形状となっている。
【００５２】
また、挿入口部３の上部直線部の両端が中間部の上側の円弧状の頂点に収束し、挿入口部３の下部直線部の両端が中間部の下側の円弧状の頂点に収束している。そして、中間部の右部直線部の両端が挿入口部３の右側の円弧状の頂点に収束し、中間部の左部直線部の両端が挿入口部３の左側の円弧状の頂点に収束している。
【００５３】
そして、挿入口部３では８ａのように横軸は縦軸より長くなっているが、挿入口部３から中間部にかけて横軸が短くなるように連続的に変化して、中間部では９ａのように横軸が縦軸より短く、すなわち縦軸が横軸より長くなっている。
【００５４】
さらに、中間部の右部直線部の両端が排出口部４の右側円弧の頂点に収束し、中間部の左部直線部の両端が排出口部４の左側円弧の頂点に収束している。
【００５５】
そして、中間部では９ａのように縦軸は横軸より長くなっているが、中間部から排出口部４にかけて縦軸が短くなるように連続的に変化して、排出口部４では１０ａように縦軸と横軸が略等しくなっている。
【００５６】
すなわち、導入管２の内部の断面形状が、挿入口部３から中間部にかけて縦軸の長さは変化せず、横軸が短くなり、中間部から排出口部４にかけて横軸の長さは変化せず、縦軸が短くなっているものである。
【００５７】
このように挿入口部３と中間部の断面における縦軸と横軸の長さの割合を逆転させるのは、以下の理由による。
【００５８】
図２は、折り畳まれた眼内レンズＬが、導入管２に挿入されている状態を示した平面図である。図２からわかるように折り畳まれた眼内レンズＬは導入管内３で開こうとして導入管２の上下方向に力が働く。
【００５９】
これを、挿入口部３から導入管２の中間部にかけて、縦軸の長さは変えずに横軸の長さを短くすると、横方向の力が眼内レンズに加わるが、縦軸の長さは変わらないので、上下方向の力の加わりを大きくすることなく、導入管２内の移動をおこなうことができ、これにより眼内レンズＬを容易に丸めることができるようになる。そして、ある程度眼内レンズＬが丸まった状態になると、その後は、上下方向の力を加えても眼内レンズＬをさらに丸めてスムーズに導入管２内を移動させることができるようになるので、中間部から排出口部４にかけて横軸の長さは変えずに縦軸を短くすることにより眼内レンズを小さく丸めた状態で排出口部４から押出すことができるものである。
【００６０】
また、導入管２の断面形状の一部に直線部を有するので、これを各頂点に収束する形状が作成し易いものとなる。
【００６１】
さらに、排出口部４は、導入管２の長手方向を長手軸とした場合にその長手軸に対して角度をもって、すなわち切り口が斜めに形成されている。これにより、眼球の切開創に容易に排出口部４を挿入させることができる。
【００６２】
また、その排出口部４は、排出口部４の縦軸に対して、例えば４５°の角度をもって形成されている。これにより、カートリッジ１が装着されるインジェクター２７のカートリッジ装着部２８が、眼内レンズ挿入操作のし易さから、インジェクター２７に対して、例えば４５°の角度をもってカートリッジ１が装着されても、排出口部４とカートリッジ１の角度が相殺されるので、眼球の切開創に容易に排出口部４を挿入させることができる。
【００６３】
以上のように、本実施例の眼内レンズ挿入用カートリッジは、眼内レンズを導入するための略筒状の眼内レンズ導入管２を備えた眼内レンズ挿入用カートリッジにおいて、前記眼内レンズ導入管２は前記眼内レンズを挿入するための挿入口部３と、前記眼内レンズを排出するための排出口部４とを備え、前記挿入口部３の前記眼内レンズ導入管２の長手方向と直交した向きの断面８ａは、その中心部で相互に略直交する長軸と短軸とを有する扁平な形状であって、この長軸と短軸をそれぞれ横軸と縦軸とした場合に、前記挿入口部３の断面８ａにおいて前記横軸が前記縦軸より長く、前記導入管２の中間部の断面９ａにおいて前記縦軸が前記横軸より長く、前記導入管２の排出口部４の断面１０ａにおいて前記縦軸と前記横軸が略等しく、前記挿入口部３から前記中間部にかけて前記横軸が短くなるように連続的に変化し、前記中間部から前記排出口部４にかけて前記縦軸が短くなるように連続的に変化している。
【００６４】
そして、この構成により、挿入口部３から中間部にかけて折り畳まれた眼内レンズにかかる上下方向の力の加わりを大きくすることなく、容易に眼内レンズを丸めることができ、その後、中間部から排出口部４にかけて上下方向の力が加わってさらに丸めることができ、容易に排出口部４から眼内レンズを押出すことができるようになる。
【００６５】
また前記挿入口部３の断面形状８ａが、前記横軸に略平行する上部直線部と下部直線部を有し、前記上部直線部の右端と前記下部直線部の右端および前記上部直線部の左端と前記下部直線部の左端を外側円弧状に結んで形成される形状であり、前記導入管２の中間部の断面形状９ａが、前記縦軸に略平行する右部直線部と左部直線部を有し、前記右部直線部の上端と前記左部直線部の上端および前記右部直線部の下端と前記左部直線部の下端を外側円弧状に結んで形成される形状であり、前記導入管２の排出口部４の断面形状１０ａが略円形状であり、前記挿入口部３の上部直線部の両端が前記中間部の上側の円弧状の頂点に収束し、前記挿入口部３の下部直線部の両端が前記中間部の下側の円弧状の頂点に収束し、前記中間部の右部直線部の両端が前記挿入口部３の右側の円弧状の頂点に収束し、前記中間部の左部直線部の両端が前記挿入口部３の左側の円弧状の頂点に収束し、前記中間部の右部直線部の両端が前記排出口部４の右側半円の頂点に収束し、前記中間部の左部直線部の両端が前記排出口部４の左側半円の頂点に収束している。
【００６６】
そして、この構成により、挿入口部３から中間部にかけて折り畳まれた眼内レンズにかかる上下方向の力の加わりを大きくすることなく、容易に眼内レンズを丸めることができ、その後、中間部から排出口部４にかけて上下方向の力が加わってさらに丸めることができ、容易に排出口部４から眼内レンズを押出すことができるようになる。また、断面形状の一部に直線部を有するので、これを各頂点に収束する形状を作成し易いものとなる。
【００６７】
さらに、眼内レンズ導入管２の長手方向を長手軸とした場合、前記長手軸に対して角度をもち、かつ前記縦軸に対して角度をもって眼内レンズ導入管２の先端が形成されている。
【００６８】
そして、この構成により、インジェクター先端が縦軸に対して角度をもって形成されている場合においても、導入管２の先端部の角度を相殺することができ、眼球の切開創に容易に排出口部４を挿入させることができる。
【００６９】
次に、本発明の第２の実施の形態について説明する。
【００７０】
本発明の第２の実施の形態におけるカートリッジは、基本的には上記第１の実施の形態におけるカートリッジと同様であるので、同様の部分については、その説明を省略する。
【００７１】
第２の実施の形態と第１の実施の形態の異なる点は、図５に示すように、導入管２の内部の形状が略楕円形状である点である。
【００７２】
図５において、８ｂは導入管の挿入口部である挿入口部３における断面形状を示しており、導入管２の長手方向と直交した向きの断面は、その中心部で相互に略直交する長軸と短軸とを有する扁平な形状であって、この長軸と短軸をそれぞれ横軸と縦軸とした場合、横軸が縦軸より長い略楕円形状となっている。
【００７３】
また、９ｂは導入管２の中間部における断面形状を示しており、縦軸が横軸より長い略楕円形状となっている。
【００７４】
さらに、１０ｂは導入管の排出口部４における断面形状を示しており、略円形状となっている。
【００７５】
そして、挿入口部３では８ｂのように横軸は縦軸より長くなっているが、挿入口部３から中間部にかけて横軸が短くなるように連続的に変化して、中間部では９ｂのように横軸が縦軸より短く、すなわち縦軸が横軸より長くなっている。
【００７６】
さらに、中間部では９ｂのように縦軸は横軸より長くなっているが、中間部から排出口部４にかけて縦軸が短くなるように連続的に変化して、排出口部４では１０ｂのように縦軸と横軸が略等しくなっている。
【００７７】
すなわち、導入管２内部の断面形状が、挿入口部３から中間部にかけて縦軸の長さは変化せず、横軸が短くなり、中間部から排出口部４にかけて横軸の長さは変化せず、縦軸が短くなっているものである。
【００７８】
挿入口部３から導入管２の中間部にかけて、縦軸の長さは変えずに横軸の長さを短くすると、横方向の力が眼内レンズに加わるが、縦軸の長さは変わらないので、上下方向の力の加わりを大きくすることなく、導入管２内の移動をおこなうことができ、これにより眼内レンズＬを容易に丸めることができるようになる。そして、ある程度眼内レンズＬが丸まった状態になると、その後は、上下方向の力を加えても眼内レンズＬをさらに丸めてスムーズに導入管２内を移動させることができるようになるので、中間部から排出口部４にかけて横軸の長さは変えずに縦軸を短くすることにより眼内レンズを小さく丸めた状態で排出口部４から押出すことができるものである。また、導入管２内部に角部を形成することがないので、眼内レンズを丸めやすいものである。
【００７９】
以上のように、本実施例の眼内レンズ挿入用カートリッジは、眼内レンズを導入するための略筒状の眼内レンズ導入管２を備えた眼内レンズ挿入用カートリッジにおいて、前記眼内レンズ導入管２は前記眼内レンズを挿入するための挿入口部３と、前記眼内レンズを排出するための排出口部４とを備え、前記挿入口部３の前記眼内レンズ導入管２の長手方向と直交した向きの断面８ｂは、その中心部で相互に略直交する長軸と短軸とを有する扁平な形状であって、この長軸と短軸をそれぞれ横軸と縦軸とした場合に、前記挿入口部３の断面８ｂにおいて前記横軸が前記縦軸より長く、前記導入管２の中間部の断面９ｂにおいて前記縦軸が前記横軸より長く、前記導入管２の排出口部４の断面１０ｂにおいて前記縦軸と前記横軸が略等しく、前記挿入口部３から前記中間部にかけて前記横軸が短くなるように連続的に変化し、前記中間部から前記排出口部４にかけて前記縦軸が短くなるように連続的に変化している。
【００８０】
そして、この構成により、挿入口部３から中間部にかけて折り畳まれた眼内レンズにかかる上下方向の力の加わりを大きくすることなく、容易に眼内レンズを丸めることができ、その後、中間部から排出口部４にかけて上下方向の力が加わってさらに丸めることができ、容易に排出口部４から眼内レンズを押出すことができるようになる。
【００８１】
また、挿入口部３の断面形状８ｂが、横軸が縦軸より長い略楕円形状であり、導入管２の中間部の断面形状９ｂが縦軸が横軸より長い略楕円形状であり、導入管２の排出口部４の断面形状１０ｂが略円形状である。
【００８２】
そして、この構成により、挿入口部３から中間部にかけて折り畳まれた眼内レンズにかかる上下方向の力の加わりを大きくすることなく、容易に眼内レンズを丸めることができ、その後、中間部から排出口部４にかけて上下方向の力が加わってさらに丸めることができ、容易に排出口部４から眼内レンズを押出すことができるようになる。また、導入管２内部に角部を形成することがないので、眼内レンズを丸めやすいものとなる。
【００８３】
なお、上記各実施例は、挿入口部３の断面８において横軸が縦軸より長く、導入管２の中間部の断面９において縦軸が横軸より長く、導入管２の排出口部４の断面１０において縦軸と横軸が略等しく、挿入口部３から中間部にかけて横軸が短くなるように連続的に変化する１段階目と、中間部から排出口部４にかけて縦軸が短くなるように変化する２段階目とで、２段階で連続的に変化している。そして、この構成により、挿入口部３から中間部にかけては、折り畳まれた眼内レンズにかかる上下方向の力の加わりを大きくすることなく、左右方向のみから力が加わることによって、容易に眼内レンズを丸めることができ、その後、中間部から排出口部４にかけては、左右方向から加わる力を大きくすることなく、上下方向のみから力が加わることによって、さらに眼内レンズを容易に丸めることができるものである。
【００８４】
すなわち、左右方向、上下方向にいずれかのみの方向から加わる力を増加するように構成することによって、従来のような全方向から力が加わる場合と比較して、飛躍的に眼内レンズの丸めやすさを向上できるものである。
【００８５】
したがって、例えば、挿入口部の短軸である縦軸と排出口部の縦軸の長さを同等にし、挿入口部の断面において横軸が縦軸より長く、導入管の排出口部の断面において縦軸と横軸を略等しくして、挿入口部から排出口部にかけて縦軸の長さを一定のまま横軸が短くなるように１段階で変化するように構成しても、折り畳まれた眼内レンズにかかる上下方向の力の加わりを大きくすることなく、左右方向のみから力が加わることとなり、従来例と比較した場合において、眼内レンズの丸めやすさを飛躍的に向上させることができる。
【００８６】
以上、本発明の実施の形態について説明したが、本発明は、上記実施の形態に限定されるものではなく、種々の変形が可能である。
【図面の簡単な説明】
【００８７】
【図１】本発明の一実施の形態におけるカートリッジを示す斜視図である。
【図２】上記実施の形態において、カートリッジの挿入口部に眼内レンズが挿入された状態を示す平面図である。
【図３】上記実施の形態におけるカートリッジをインジェクターに装着場合の様子を示す図である。
【図４】本発明の第１の実施の形態のカートリッジの導入管の形状を示す斜視図である。
【図５】本発明の第２の実施の形態のカートリッジの導入管の形状を示す斜視図である。
【図６】軟質眼内レンズ折り畳み機構を有する収納容器を示す斜視図である。
【図７】従来のカートリッジを示す斜視図である。
【符号の説明】
【００８８】
１    カートリッジ
２    導入管
３    挿入口部
４    排出口部
８，８ａ，８ｂ  断面
９，９ａ，９ｂ  断面
１０，１０ａ，１０ｂ  断面
【図１】
0004517402.tif 000002
【図２】
0004517402.tif 000003
【図３】
0004517402.tif 000004
【図４】
0004517402.tif 000005
【図５】
0004517402.tif 000006
【図６】
0004517402.tif 000007
【図７】
0004517402.tif 000008